(57)【特許請求の範囲】
【請求項１】
撮像装置の装置本体に形成され信号コネクターを有する取付部に取り付けられるアダプターを備え、
前記アダプターに、挿入用開口を有する収納部が形成されたアダプター本体と該アダプター本体にヒンジ機構を介して所定の方向へ回動自在に支持されたコネクターユニットとを設け、
前記コネクターユニットに、前記取付部の信号コネクターに接続される接続コネクターと該接続コネクターを保持するホルダーと該ホルダーに連続し前記挿入用開口を閉塞する閉塞板とを設け、
前記ヒンジ機構に、前記コネクターユニットを第１の方向へ回動可能とする第１のヒンジ軸と前記第１の方向に直交する第２の方向へ回動可能とする第２のヒンジ軸とを設け、
前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした
アダプター取付機構。
【請求項２】
前記収納部に収納された前記接続コネクター及び前記ホルダーを閉塞するカバー体を前記アダプター本体の内部に設けた
請求項１に記載のアダプター取付機構。
【請求項３】
前記接続コネクターに導通される接続コードの少なくとも一部を前記第１のヒンジ軸と前記第２のヒンジ軸の内部に配置した
請求項１に記載のアダプター取付機構。
【請求項４】
前記コネクターユニットが前記収納位置にあるときに前記閉塞板のうち前記収納部と反対側を向く面に、前記閉塞板を指で把持して前記コネクターユニットを前記第２の方向へ回動させるための指掛け突部を設けた
請求項１に記載のアダプター取付機構。
【請求項５】
前記アダプター本体の挿入用開口の開口縁に導電部を設け、
前記閉塞板に前記接続可能位置において前記導電部に接する導通部を設けた
請求項１に記載のアダプター取付機構。
【請求項６】
被写体を撮影する撮像部を有する装置本体と、
前記装置本体に形成され信号コネクターを有する取付部に取り付けられるアダプターとを備え、
前記アダプターに、挿入用開口を有する収納部が形成されたアダプター本体と該アダプター本体にヒンジ機構を介して所定の方向へ回動自在に支持されたコネクターユニットとを設け、
前記コネクターユニットに、前記取付部の信号コネクターに接続される接続コネクターと該接続コネクターを保持するホルダーと該ホルダーに連続し前記挿入用開口を閉塞する閉塞板とを設け、
前記ヒンジ機構に、前記コネクターユニットを第１の方向へ回動可能とする第１のヒンジ軸と前記第１の方向に直交する第２の方向へ回動可能とする第２のヒンジ軸とを設け、
前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした
撮像装置。
【請求項７】
撮像装置の装置本体に形成され信号コネクターを有する取付部に取り付けられ、
挿入用開口を有する収納部が形成されたアダプター本体と該アダプター本体にヒンジ機構を介して所定の方向へ回動自在に支持されたコネクターユニットとを設け、
前記コネクターユニットに、前記取付部の信号コネクターに接続される接続コネクターと該接続コネクターを保持するホルダーと該ホルダーに連続し前記挿入用開口を閉塞する閉塞板とを設け、
前記ヒンジ機構に、前記コネクターユニットを第１の方向へ回動可能とする第１のヒンジ軸と前記第１の方向に直交する第２の方向へ回動可能とする第２のヒンジ軸とを設け、
前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした
アダプター。
【発明の詳細な説明】
【技術分野】
【０００１】
本発明はアダプター取付機構、撮像装置及びアダプターについての技術分野に関する。詳しくは、アダプターに設けられたコネクターユニットを収納位置と接続可能位置との間で回動可能として使い勝手の向上等を図る技術分野に関する。
【背景技術】
【０００２】
ビデオカメラやスチルカメラ等の各種の撮像装置には各種のレンズや撮像素子等によって構成された撮影機能を有する撮像部が設けられている。このような撮像装置は、近年、各種の電子機器、例えば、携帯電話、パーソナルコンピューター、ＰＤＡ（Personal Digital Assistant）等にも組み込まれ用途の拡大が図られている。
【０００３】
撮像装置には撮像部を有する装置本体の、例えば、背面にアダプターが取り付けられるタイプがあり、このようなタイプの撮像装置にあっては、アダプターを取り付けることにより利便性の向上が図られる。
【０００４】
例えば、変換器として機能するアダプターを装置本体に取り付けることにより、撮像部によって撮影した映像信号をハイビジョン用の信号に変換することが可能となる。
【０００５】
上記したアダプターには、例えば、機能や形状等の相違により各種のタイプが存在する（例えば、特許文献１参照）。特許文献１に記載されたアダプターには、例えば、信号接続用の接続コネクターがアダプター本体の前面から前方へ突出され、装置本体の背面に形成された凹部にアダプターの接続コネクターが挿入されて前記凹部に設けられた信号コネクターに接続される（特許文献１の図８参照）。
【０００６】
【特許文献１】特開平７−３０７０７６号公報
【発明の開示】
【発明が解決しようとする課題】
【０００７】
ところで、撮像装置の装置本体のタイプにも、例えば、機能や形状等の相違によって各種のタイプが存在し、特許文献１に記載されたような装置本体の背面に凹部が形成されていないタイプもある。
【０００８】
従って、このような凹部を有しないタイプの装置本体に、接続コネクターを有するアダプターを取り付けようとしても、接続コネクターがアダプター本体の前面から前方へ突出されているため、取り付けることができない。
【０００９】
アダプターには接続コネクターがアダプター本体に対して着脱可能とされているものも存在するが、この場合には、接続コネクターのアダプター本体に対する取付作業及び取外作業と言う面倒な作業が必要となり、使い勝手が悪いと言う問題がある。
【００１０】
また、アダプター本体に対する接続ネクターの着脱時に、該接続コネクターに接続されている接続コードを損傷したり、取り外した接続コネクターの紛失と言った不具合を生じるおそれがある。
【００１１】
そこで、本発明アダプター取付機構、撮像装置及びアダプターは、上記した問題点を克服し、使い勝手の向上等を図ることを課題とする。
【課題を解決するための手段】
【００１２】
アダプター取付機構は、上記した課題を解決するために、撮像装置の装置本体に形成され信号コネクターを有する取付部に取り付けられるアダプターを設け、前記アダプターに、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにしたものである。
【００１３】
従って、アダプター取付機構にあっては、アダプター本体からコネクターユニットが取り外されることなくコネクターユニットが収納位置又は接続可能位置に回動される。
【００１４】
上記したアダプター取付機構においては、前記収納部に収納された前記接続コネクター及び前記ホルダーを閉塞するカバー体を前記アダプター本体の内部に設けることが望ましい。
【００１５】
接続コネクター及びホルダーを閉塞するカバー体を設けることにより、収納部がアダプター本体の他の部分と隔離される。
【００１６】
また、上記したアダプター取付機構においては、接続コネクターに導通される接続コードの少なくとも一部を第１のヒンジ軸と第２のヒンジ軸の内部に配置することが望ましい。
【００１７】
接続コードを第１のヒンジ軸と第２のヒンジ軸の内部に配置することにより、接続コードが第１のヒンジ軸及び第２のヒンジ軸によって保護される。
【００１８】
さらに、上記したアダプター取付機構においては、コネクターユニットが収納位置にあるときに閉塞板のうち収納部と反対側を向く面に、閉塞板を指で把持してコネクターユニットを第２の方向へ回動させるための指掛け突部を設けることが望ましい。
【００１９】
閉塞板に指掛け突部を設けることにより、指掛け突部を把持した状態でコネクターユニットの回動が可能となる。
【００２０】
加えて、上記したアダプター取付機構においては、前記アダプター本体の挿入用開口の開口縁に導電部を設け、前記閉塞板に前記接続可能位置において前記導電部に接する導通部を設けることが望ましい。
【００２１】
接続可能位置において接する導電部と導通部を設けることにより、コネクターユニットが接続可能位置に回動されたときに両者が導通される。
【００２２】
撮像装置は、上記した課題を解決するために、被写体を撮影する撮像部を有する装置本体と、前記装置本体に形成され信号コネクターを有する取付部に取り付けられるアダプターとを設け、前記アダプターに、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにしたものである。
【００２３】
従って、撮像装置にあっては、アダプター本体からコネクターユニットが取り外されることなくコネクターユニットが収納位置又は接続可能位置に回動される。
【００２４】
アダプターは、上記した課題を解決するために、撮像装置の装置本体に形成され信号コネクターを有する取付部に取り付けられ、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにしたものである。
【００２５】
従って、アダプターにあっては、アダプター本体からコネクターユニットが取り外されることなくコネクターユニットが収納位置又は接続可能位置に回動される。
【発明の効果】
【００２６】
本発明アダプター取付機構は、撮像装置の装置本体に形成され信号コネクターを有する取付部に取り付けられるアダプターを備え、前記アダプターに、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした。
【００２７】
従って、信号コネクターの有無に応じて接続コネクターのアダプター本体に対する着脱作業を行う必要がなく、使い勝手の向上を図ることができる。
【００２８】
請求項２に記載した発明にあっては、前記収納部に収納された前記接続コネクター及び前記ホルダーを閉塞するカバー体を前記アダプター本体の内部に設けたので、アダプター本体の内部への指の挿入や塵埃の侵入を防止することができる。
【００２９】
請求項３に記載した発明にあっては、前記接続コネクターに導通される接続コードの少なくとも一部を前記第１のヒンジ軸と前記第２のヒンジ軸の内部に配置したので、接続コードの専用の配置スペースを必要とせずアダプターの小型化を図ることができ、また、接続コードの損傷を防止することができる。
【００３０】
請求項４に記載した発明にあっては、前記コネクターユニットが前記収納位置にあるときに前記閉塞板のうち前記収納部と反対側を向く面に、前記閉塞板を指で把持して前記コネクターユニットを前記第２の方向へ回動させるための指掛け突部を設けたので、コネクターユニットの第２の方向への回動動作を容易に行うことができる。
【００３１】
請求項５に記載した発明にあっては、前記アダプター本体の挿入用開口の開口縁に導電部を設け、前記閉塞板に前記接続可能位置において前記導電部に接する導通部を設けたので、接続コネクターが信号コネクターに接続されたときの不要輻射の発生を抑制することができる。
【００３２】
本発明撮像装置は、被写体を撮影する撮像部を有する装置本体と、前記装置本体に形成され信号コネクターを有する取付部に取り付けられるアダプターとを備え、前記アダプターに、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした。
【００３３】
従って、信号コネクターの有無に応じて接続コネクターのアダプター本体に対する着脱作業を行う必要がなく、使い勝手の向上を図ることができる。
【００３４】
本発明アダプターは、撮像装置の装置本体に形成され信号コネクターを有する取付部に取り付けられ、挿入用開口を有する収納部が形成されたアダプター本体と該アダプター本体にヒンジ機構を介して所定の方向へ回動自在に支持されたコネクターユニットとを設け、前記コネクターユニットに、前記取付部の信号コネクターに接続される接続コネクターと該接続コネクターを保持するホルダーと該ホルダーに連続し前記挿入用開口を閉塞する閉塞板とを設け、前記ヒンジ機構に、前記コネクターユニットを第１の方向へ回動可能とする第１のヒンジ軸と前記第１の方向に直交する第２の方向へ回動可能とする第２のヒンジ軸とを設け、前記第１の方向への回動動作と前記第２の方向への回動動作とが行われることにより、前記コネクターユニットの接続コネクターとホルダーが前記収納部に収納され前記収納部が前記閉塞板によって閉塞され前記コネクターユニットが前記アダプター本体の外面から外方へ突出されない収納位置又は前記コネクターユニットの接続コネクターとホルダーが前記アダプター本体の外面から外方へ突出され前記接続コネクターが前記信号コネクターに接続可能な接続可能位置に至るようにした。
【００３５】
従って、信号コネクターの有無に応じて接続コネクターのアダプター本体に対する着脱作業を行う必要がなく、使い勝手の向上を図ることができる。
【発明を実施するための最良の形態】
【００３６】
以下に、本発明アダプター取付機構、撮像装置及びアダプターを実施するための最良の形態を添付図面に従って説明する。
【００３７】
以下に示した最良の形態は、本発明撮像装置をビデオカメラに適用し、本発明アダプター取付機構をこのビデオカメラのアダプター取付機構に適用し、本発明アダプターをこのビデオカメラに取り付けられるアダプターに適用したものである。
【００３８】
尚、本発明の適用範囲はビデオカメラ、ビデオカメラのアダプター取付機構又はビデオカメラに取り付けられるアダプターに限られることはなく、例えば、スチルカメラ、パーソナルコンピューター、ＰＤＡ（Personal Digital Assistant）、携帯電話等の撮像装置として用いられる各種の装置、これらの各種の装置のアダプター取付機構又はこれらの各種の装置に取り付けられるアダプターに広く適用することができる。
【００３９】
以下の説明にあっては、撮像装置（ビデオカメラ）の撮影時において撮影者から見た方向で前後上下左右の方向を示すものとする。従って、被写体側が前方となり、撮影者側が後方となる。
【００４０】
尚、以下に示す前後上下左右の方向は説明の便宜上のものであり、本発明の実施に関しては、これらの方向に限定されることはない。
【００４１】
撮像装置（ビデオカメラ）１は装置本体２と該装置本体２に対して着脱可能なアダプター３とを備えている（図１参照）。
【００４２】
装置本体２には前方へ突出されたレンズブロック４が設けられ、該レンズブロック４の内部には所要の複数のレンズ、開口絞り及び撮像素子等の光学系が配置されている。複数のレンズ、開口絞り及び撮像素子等は被写体を撮影する撮像部として機能する。
【００４３】
装置本体２には、上面側に把手５が設けられ、下面側にショルダーパッド６が設けられている。把手５は手で撮像装置１を把持するための部分であり、ショルダーパッド６は撮像装置１を肩に載置するための部分である。
【００４４】
撮像装置１には映像を記録するための記録媒体として、例えば、テープカセット、円板状の記録ディスク、ハードディスク等が用いられる。
【００４５】
撮像装置１の背面はアダプター３を取り付けるための取付部７として設けられている（図２参照）。
【００４６】
取付部７の上端部には後方に開口された配置用凹部７ａが形成されている。配置用凹部７ａには、その下端側に信号接続用の信号コネクター８が設けられている。尚、配置用凹部７ａは撮像装置の種類によっては形成されていない場合もある。
【００４７】
取付部７には配置用凹部７ａの開口縁に左右に離隔して第１の係合突片９、９が設けられている。
【００４８】
取付部７には、上下方向における略中央部に第２の係合突片１０、１０が左右に離隔して設けられ、該第２の係合突片１０、１０によってＶ字状の係合溝１０ａが形成されている。
【００４９】
取付部７の下端寄りの位置には後方へ突出された電源コネクター１１が設けられている。電源コネクター１１には上方へ突出されたコネクターピン１１ａ、１１ａ、・・・が左右に離隔して設けられている。
【００５０】
取付部７の下端部には左右に並んで接続端子１２、１２、１２が設けられている。接続端子１２は、例えば、夜間の照明用ライトのケーブル等の各種のケーブルが接続される。
【００５１】
取付部７の所定の位置には後方へ突出されたガイド突部１３、１３、１３が設けられている。
【００５２】
装置本体２の後端部における上面には固定部１４が設けられ、該固定部１４には上方に開口されたネジ止め穴１４ａ、１４ａと位置決め穴１４ｂが形成されている。
【００５３】
アダプター３は、例えば、撮影した映像をハイビジョン用の信号に変換する信号変換器として機能し、アダプター本体１５と該アダプター本体１５の前面１５ａ側において回動自在に支持されたコネクターユニット１６とから成る（図３乃至図６参照）。
【００５４】
アダプター３の前面１５ａには、図３に示すように、前方へ突出された固定用突部１７が設けられている。固定用突部１７には固定ネジ１８、１８が支持されている。固定用突部１７には下方へ突出された位置決めピン１７ａが設けられている。
【００５５】
アダプター本体１５の前面１５ａには前方に開口された凹状部１５ｂが形成され該凹状部１５ｂにＶ字状結合部１９が設けられている。Ｖ字状結合部１９は前面１５ａの上下方向における略中央部に設けられている。
【００５６】
アダプター本体１５の前面１５ａにおける下端部にはコネクター接続部２０が設けられている。コネクター接続部２０は前方及び下方に開口された開口部２０ａと該開口部２０ａに設けられたコネクター突部２１とから成る。コネクター突部２１は開口部２０ａにおいて下方へ突出するように設けられ、下方に開口されたピン穴２１ａ、２１ａ、・・・を有している。
【００５７】
アダプター本体１５の前面１５ａの所定の位置には、上下方向へ延びる被ガイド溝１５ｃ、１５ｃ、１５ｃが形成されている。
【００５８】
アダプター本体１５の一方の側面１５ｄには、上下に並んでプラグ用コネクター２２、２２、２２が設けられている。
【００５９】
アダプター本体１５の後面１５ｅには、図４に示すように、係合突片２３、２３が左右に離隔して設けられ、該係合突片２３、２３によってＶ字状の係合溝２３ａが形成されている。
【００６０】
アダプター本体１５の後面１５ａには後方へ突出された電源コネクター２４が設けられている。電源コネクター２４には上方へ突出されたコネクターピン２４ａ、２４ａ、・・・が左右に離隔して設けられている。
【００６１】
アダプター本体１５の下端部には側方へ突出された配置用突部２５が設けられている。配置用突部２５の後面には上下に離隔してコネクター２６、２７が設けられている。
【００６２】
コネクターユニット１６は、図３、図５及び図６に示すように、撮像装置１の取付部７に設けられた信号コネクター８に接続される接続コネクター２８と、該接続コネクター２８を保持するホルダー２９と、該ホルダー２９に連続する閉塞板３０とを有している。
【００６３】
接続コネクター２８は下方へ突出するように設けられ、例えば、５０本の端子ピンを有するコネクターである。
【００６４】
ホルダー２９は縦断面形状で略三角形状に形成され、それぞれ下方及び側方（外方）に開口された係合溝２９ａ、２９ａを有している。
【００６５】
閉塞板３０は前後方向を向くように形成され、ホルダー２９に連続して設けられ、下端部がヒンジ機構３１によって支持されている。閉塞板３０のホルダー２９に連続しない側の面に、その外周部が導通部３０ａとして形成されている（図５及び図６参照）。導通部３０ａは、例えば、導電性金属材料によって形成された閉塞板３０の表面に塗装を施さないことにより形成されている。閉塞板３０の導通部３０ａが形成された面と反対側の面には、指掛け突部３０ｂ、３０ｂ、・・・が設けられている。指掛け突部３０ｂ、３０ｂ、・・・は左右に離隔し、上下に延びるようにして設けられている。
【００６６】
ヒンジ機構３１は、コネクターユニット１６を第１の方向へ回動可能とする第１のヒンジ軸３２と、コネクターユニット１６を第１の方向に直交する第２の方向へ回動可能とする第２のヒンジ軸３３とを有している。第２の方向は水平方向へ延びる軸を支点とした軸回り方向であり、第１の方向は水平方向へ延びる軸に直交する方向へ延びる軸を支点とした軸回り方向である。ヒンジ機構３１は第２のヒンジ軸３３がアダプター本体１５に支持されている。第１のヒンジ軸３２は第２のヒンジ軸３３の左右方向における中央部に支持されている。
【００６７】
ヒンジ機構３１はコネクターユニット１６を第１の方向へ約１８０°回動可能とするように構成され、それ以上のコネクターユニット１６の第１の方向への回動を規制する図示しないストッパーを有している。
【００６８】
第１のヒンジ軸３２と第２のヒンジ軸３３の内部には接続線３４の一部が配置されている。接続線３４は、一端部が接続コネクター２８に接続され、他端部がアダプター本体１５の内部に配置された回路基板３５に接続されている。
【００６９】
アダプター本体１５の上端部には前後に貫通された挿入用開口１５ｆが形成されている。挿入用開口１５ｆの開口縁の内側の空間は収納部３６として形成され、該収納部３６がアダプター本体１５の内部に配置されたカバー体３７によって閉塞されている。挿入用開口１５ｆの直ぐ下側には、上記したヒンジ機構３１が配置されている。
【００７０】
アダプター本体１５における挿入用開口１５ｆの周囲の部分は、アダプター本体１５の前面より後方へ一段凹んで位置された受け面部３６として形成されている。受け面部３６には導電性の金属シートが貼り付けられ、この金属シートが貼り付けられることにより導電部３６ａが形成されている。受け面部３６の４隅の位置にはそれぞれ前方に開口された取付用螺孔３６ｂ、３６ｂ、・・・が形成されている。
【００７１】
挿入用開口１５ｆの内側の空間は収納部３７として形成され、該収納部３７がアダプター本体１５の内部に配置されたカバー体３８によって閉塞されている。カバー体３８は、例えば、樹脂材料によって形成されている。
【００７２】
コネクターユニット１６は第１の方向への回動動作と第２の方向への回動動作とが行われることにより、収納位置又は接続可能位置まで回動される（図７乃至図１０参照）。
【００７３】
コネクターユニット１６は、接続可能位置において、図７に示すように、ホルダー２９及び接続コネクター２８がアダプター本体１５から前方へ突出され閉塞板３０がアダプター本体１５に形成された挿入用開口１５ｆを閉塞している。コネクターユニット１６は閉塞板３０を挿通された取付ネジ３９、３９、・・・がそれぞれ受け面部３６の取付用螺孔３６ｂ、３６ｂ、・・・に螺合されることによりアダプター本体１５に固定されている。
【００７４】
接続可能位置においては、接続コネクター２８が装置本体２に設けられた信号コネクター８に接続可能とされている。
【００７５】
接続可能位置においては、閉塞板３０の導通部３０ａと受け面部３６の導電部３６ａとが密着されている（図５参照）。従って、接続コネクター２８が信号コネクター８に接続されたときの不要輻射の発生を抑制することができる。
【００７６】
コネクターユニット１６の接続可能位置から収納位置までの回動動作（回動作業）は以下のようにして行われる。
【００７７】
先ず、取付ネジ３９、３９、・・・を緩めてコネクターユニット１６の受け面部３６への固定状態を解除する。
【００７８】
次に、コネクターユニット１６を第２のヒンジ軸３３を支点として第２の方向へ回動して挿入用開口１５ｆを開放する（図８参照）。このとき接続コネクター２８及びホルダー２９が閉塞板３０の下方に位置される。
【００７９】
次いで、コネクターユニット１６を第１のヒンジ軸３２を支点として第１の方向へ１８０°回動する（図９参照）。このとき接続コネクター２８及びホルダー２９が閉塞板３０の上方に位置される。
【００８０】
続いて、コネクターユニット１６を第２のヒンジ軸３３を支点として第２の方向へ回動して収納部３７に接続コネクター２８及びホルダー２９を挿入して収納し、挿入用開口１５ｆを閉塞板３０によって閉塞する（図１０参照）。コネクターユニット１６は、閉塞板３０が挿入用開口１５ｆを閉塞することにより、収納位置に至る。
【００８１】
コネクターユニット１６が収納位置にある状態においては、上記したように、接続コネクター２８とホルダー２９が収納部３７に収納され該収納部３７が閉塞板３０によって閉塞されており、コネクターユニット１６はアダプター本体１５の前面から前方へ突出されていない。
【００８２】
最後に、閉塞板３０を挿通された取付ネジ３９、３９、・・・をそれぞれ受け面部３６の取付用螺孔３６ｂ、３６ｂ、・・・に螺合してコネクターユニット１６をアダプター本体１５に固定し回動作業を終了する。
【００８３】
一方、コネクターユニット１６の収納位置から接続可能位置への動作は以下のようにして行われる。
【００８４】
先ず、取付ネジ３９、３９、・・・を緩めてコネクターユニット１６の受け面部３６への固定状態を解除する。
【００８５】
次に、コネクターユニット１６を第２のヒンジ軸３３を支点として第２の方向へ回動して挿入用開口１５ｆを開放する（図９参照）。このとき接続コネクター２８及びホルダー２９が閉塞板３０の上方に位置される。
【００８６】
コネクターユニット１６を第２の方向へ回動するときには、閉塞板３０に設けられた指掛け突部３０ｂ、３０ｂ、・・・を把持することにより行う。このようにコネクターユニット１６には指掛け突部３０ｂ、３０ｂ、・・・が設けられているため、コネクターユニット１６の第２の方向への回動動作を容易に行うことができる。
【００８７】
次いで、コネクターユニット１６を第１のヒンジ軸３２を支点として第１の方向へ１８０°回動する（図８参照）。このとき接続コネクター２８及びホルダー２９が閉塞板３０の下方に位置される。
【００８８】
続いて、コネクターユニット１６を第２のヒンジ軸３３を支点として第２の方向へ回動して閉塞板３０を受け面部３６に押し付ける。
【００８９】
最後に、閉塞板３０を挿通された取付ネジ３９、３９、・・・をそれぞれ受け面部３６の取付用螺孔３６ｂ、３６ｂ、・・・に螺合してコネクターユニット１６をアダプター本体１５に固定して回動作業を終了する。
【００９０】
アダプター３の装置本体２に設けられた取付部７への取付は、以下のようにして行われる。
【００９１】
取付部７に配置用凹部７ａが形成され該配置用凹部７ａに信号コネクター８が設けられた撮像装置１に対しては、コネクターユニット１６を接続可能位置に回動させた状態でアダプター３を取付部７に取り付けることができる。
【００９２】
この場合の取付は、コネクターユニット１６を配置用凹部７ａに後方から挿入しアダプター本体１５を取付部７に後方から押し付けた状態でアダプター３を下方へスライドさせる。アダプター３は被ガイド溝１５ｃ、１５ｃ、１５ｃが取付部７に形成されたガイド突部１３、１３、１３に案内されてスライドされ、アダプター３の固定用突部１７の位置決めピン１７ａが取付部７の固定部１４の位置決め穴１４ｂに挿入されて位置決めされ、同時に、Ｖ字状結合部１９が係合溝１０ａに挿入されて第２の係合突片１０、１０に結合される。
【００９３】
このとき取付部７に設けられた第１の係合突片９、９がアダプター３のコネクターユニット１６に形成された係合溝２９ａ、２９ａにそれぞれ挿入されて係合される。
【００９４】
アダプター３は、コネクターユニット１６の接続コネクター２８が取付部７に設けられた信号コネクター８に接続され、コネクター突部２１のピン穴２１ａ、２１ａ、・・・にそれぞれ電源コネクター１１のコネクターピン１１ａ、１１ａ、・・・が挿入されて接続される。
【００９５】
尚、接続コネクター２８はホルダー２９に対して水平方向へ僅かに変位可能とされている。従って、接続コネクター２８と信号コネクター８が接続されるときに、両者の間に僅かに位置ずれが生じていた場合においても、両者の接続を円滑に行うことができる。
【００９６】
上記のように、接続コネクター２８が信号コネクター８に接続されると共にコネクター突部２１が電源コネクター１１に接続された状態において、アダプター３の固定用突部１７に支持された固定ネジ１８、１８をそれぞれ取付部７の固定部１４に形成されたネジ止め穴１４ａ、１４ａに螺合することにより、アダプター３の取付部７への取付作業を完了する。
【００９７】
一方、取付部７に配置用凹部７ａが形成さていない撮像装置１に対しては、コネクターユニット１６を収納位置に回動させた状態でアダプター３を取付部７に取り付けることができる。
【００９８】
この場合の取付は、取付部７に信号コネクター８が存在しないため接続コネクター２８が信号コネクター８に接続されないことを除いて上記と同様の取付手順によって行われる。
【００９９】
アダプター３の取付部７からの取り外しは、アダプター３の固定用突部１７に支持された固定ネジ１８、１８を緩めて固定部１４との固定状態を解除し、アダプター３を取付部７に対して上方へスライドさせ、その後、後方へ引き抜くことにより行うことができる。
【０１００】
アダプター３の後面１５ｅには、バッテリー等の図示しない他の機器を取り付けることができる。バッテリー等の他の機器には、アダプター３に設けられたＶ字状結合部１９及びコネクター突部２１と同様のＶ字状結合部及びコネクター突部が設けられており、これらのＶ字状結合部とコネクター突部がそれぞれ係合突片２３、２３と電源コネクターに接続されることにより他の機器がアダプター３に取り付けられる。
【０１０１】
以上に記載した通り、撮像装置１にあっては、第１の方向への回動動作と第２の方向への回動動作とが行われることにより、コネクターユニット１６を収納位置又は接続可能位置に回動させることが可能であるため、信号コネクター８の有無によらず異なる種類の装置本体２にアダプター３を取り付けることができる。
【０１０２】
従って、信号コネクター８の有無に応じて接続コネクター２８のアダプター本体１５に対する着脱作業を行う必要がなく、使い勝手の向上を図ることができる。
【０１０３】
また、アダプター本体１５に対してコネクターユニット１６を着脱する必要がないため、接続コネクター２８に接続されている接続コード３４を損傷したり、コネクターユニット１６の紛失と言う不具合の発生を防止することができる。
【０１０４】
さらに、アダプター３には、収納部３７に収納されたコネクターユニット１６の接続コネクター２８及びホルダー２９を閉塞するカバー体３８が設けられているため、アダプター本体１５の内部への指の挿入や塵埃の侵入を防止することができる。
【０１０５】
加えて、接続コネクター２８と回路基板３５とを接続する接続コード３４がヒンジ機構３１の内部に配置されているため、接続コード３４の専用の配置スペースを必要とせずアダプター３の小型化を図ることができ、また、接続コード３４の損傷を防止することができる。
【０１０６】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０７】
【図１】図２乃至図１０と共に本発明アダプター取付機構、撮像装置及びアダプターを示すものであり、本図は、撮像装置の概略側面図である。
【図２】装置本体の一部を示す斜視図である。
【図３】アダプターの拡大斜視図である。
【図４】アダプターの拡大背面図である。
【図５】コネクターユニットが接続可能位置にある状態でアダプターの一部を示す拡大断面図である。
【図６】コネクターユニットが収納位置にある状態でアダプターの一部を示す拡大断面図である。
【図７】図８乃至図１０と共にコネクターユニットの回動動作を示すものであり、本図は、コネクターユニットが接続可能位置にある状態を示す拡大斜視図である。
【図８】回動途中の状態を示す拡大斜視図である。
【図９】回動途中の図８とは異なる状態を示す拡大斜視図である。
【図１０】コネクターユニットが収納位置にある状態を示す拡大斜視図である。
【符号の説明】
【０１０８】
１…撮像装置、２…装置本体、３…アダプター、７…取付部、８…信号コネクター、１５…アダプター本体、１５ｆ…挿入用開口、１６…コネクターユニット、２８…接続コネクター、２９…ホルダー、３０…閉塞板、３０ａ…導通部、３０ｂ…指掛け突部、３１…ヒンジ機構、３２…第１のヒンジ軸、３３…第２のヒンジ軸、３４…接続コード、３６ａ…導電部、３７…収納部、３８…カバー体
【図１】
0005035083.tif 000002
【図２】
0005035083.tif 000003
【図３】
0005035083.tif 000004
【図４】
0005035083.tif 000005
【図５】
0005035083.tif 000006
【図６】
0005035083.tif 000007
【図７】
0005035083.tif 000008
【図８】
0005035083.tif 000009
【図９】
0005035083.tif 000010
【図１０】
0005035083.tif 000011